(57)【要約】【課題】機器収納用トレイの移動機構を簡単な構造にする。【解決手段】携帯型電子機器１を載置する載置部（底板１８ａ）を有し、載置部が筐体１１の一部を構成する内装筐体１３の前方に突出した挿脱位置と、載置部が内装筐体１３内に収納される収納位置との間を往復動する機器収納用トレイ１８を、内装筐体１３内で前面１３ｆ側の一端近傍に立設した軸１６を中心にして挿脱位置と収納位置との間を手動操作により回動可能に構成した携帯型電子機器収納装置１０を提供する。【選択図】図２
2009179097.tif 000002
【特許請求の範囲】
【請求項１】
筐体と、
前記筐体内における前面側の一端近傍に立設した軸と、
前記軸に軸支され、携帯型電子機器を載置する載置部を有し、前記載置部が前記筐体の前方に突出した挿脱位置と、前記載置部が前記筐体内に収納される収納位置との間を前記軸を中心にして回動する機器収納用トレイと、
前記携帯型電子機器に取り付けられた機器側のコネクタと電気的に接続するために前記機器収納用トレイ上に設けられた装置側のコネクタと、
前記機器収納用トレイを前記収納位置においてロック及びロック解除するトレイロック手段及びロック解除手段と、
前記筐体及び前記機器収納用トレイに一端側及び他端側がそれぞれ掛止され、且つ、前記機器収納用トレイが前記収納位置でロック解除されたときに、この機器収納用トレイを前記挿脱位置側に付勢するバネと、
を備えたことを特徴とする携帯型電子機器収納装置。
【請求項２】
前記収納位置で前記載置部の長手方向が、この携帯型電子機器の収納装置の左右方向となることを特徴とする請求項１記載の携帯型電子機器収納装置。
【請求項３】
筐体と、
前記筐体内における前面側の一端近傍に立設した第１の軸と、
前記第１の軸に軸支され、前記筐体の前方に突出した挿脱位置と、前記筐体内に収納される収納位置との間を前記第１の軸を中心にして回動するベーストレイと、
前記ベーストレイ上に設けられた第２の軸に回動自在に軸支され、携帯型電子機器を載置する載置部を有し、前記筐体に形成したガイド手段に案内されて前記載置部が前記筐体外に露出する挿脱位置と、前記載置部が前記筐体内に収納される収納位置との間を前記ベーストレイの回動に協働して前記筐体の前後方向に移動する機器収納用トレイと、
前記携帯型電子機器に取り付けられた機器側のコネクタと電気的に接続するために前記機器収納用トレイ上に設けられた装置側のコネクタと、
前記ベーストレイと一体に前記機器収納用トレイを前記収納位置においてロック及びロック解除するトレイロック手段及びロック解除手段と、
前記筐体及び前記ベーストレイに一端側及び他端側がそれぞれ掛止され、且つ、前記ベーストレイと一体に前記機器収納用トレイが前記収納位置でロック解除されたときに、前記ベーストレイと一体に前記機器収納用トレイを前記挿脱位置側に付勢するバネと、
を備えたことを特徴とする携帯型電子機器収納装置。
【請求項４】
前記収納位置で前記載置部の長手方向が、この携帯型電子機器の収納装置の前後方向となることを特徴とする請求項３記載の携帯型電子機器収納装置。
【請求項５】
前記トレイロック手段は、前記収納位置で前記機器収納用トレイが前記収納位置に至ったことを検出できるラッチ式プッシュスイッチであることを特徴とする請求項１又は請求項３記載の携帯型電子機器収納装置。
【発明の詳細な説明】
【技術分野】
【０００１】
本発明は、携帯型電子機器を載置する載置部を有し、載置部が筐体の前方に突出した挿脱位置と、載置部が筐体内に収納される収納位置との間を往復動する機器収納用トレイを、筐体内で前面側の一端近傍に立設した軸を中心にして挿脱位置と収納位置との間を手動操作により回動可能に構成した携帯型電子機器収納装置に関するものである。
【背景技術】
【０００２】
メモリに格納した音楽データや映像データを再生するｉＰｏｄ（登録商標）などの携帯型音楽プレーヤとか、光ディスクに記録した音楽データや映像データなどを再生する光ディスクドライブは、内部に電池を内蔵した状態で小型軽量化されて携帯可能な携帯型電子機器として自動車内や電車内で多用されている。
【０００３】
しかしながら、この種の携帯型電子機器を自動車内や屋内などで使用する場合に、携帯型電子機器に内蔵した電池の消耗を避けたり、あるいは、携帯型電子機器の出力端子を大型スピーカや大型ディスプレイなどに接続するために、携帯型電子機器とは別体の筐体内に収納して使用する方法がある。
【０００４】
この一例として、取付本体に摺動可能に保持されて収納されるトレイと、トレイに携帯機器(携帯型電子機器)を着脱自在に保持する保持機構と、トレイを引き出し状態と収納状態との間を摺動するガイド手段とを備えることにより、蓋体を有する構造の携帯機器においても、トレイを引き出した状態で蓋体を開けることができるために、収納空間は蓋体を閉じた状態の寸法が確保できれば取り付け可能となるように構成した取付装置がある（例えば、特許文献１参照）。
【０００５】
また、他例として、ＤＩＮ（ＤＥＵＴＳＩＮＤＵＳＴＲＩＥ  ＮＯＲＭＥＮ）規格の外形寸法を有するクレードル内に出し入れ自在なトレイ体を設けて、このトレイ体に装置本体を装着可能にカーオーディオ装置を構成した際に、装置本体に取り付けた第１のコネクタをトレイ体上に取り付けた第２のコネクタに電気的に接続できるクレードルを備える車載装置がある（例えば、特許文献２参照）。
【０００６】
【特許文献１】特開２０００−３３２４３３号公報（図１）
【特許文献２】特開２００５−４１４４１号公報（図７）
【発明の開示】
【発明が解決しようとする課題】
【０００７】
ところで、特許文献１に開示された取付装置では、ここでの図示を省略するが、携帯機器を装着するためのトレイが取付本体内で引き出し状態と収納状態との間を直線移動自在に設けられているものの、このトレイを摺動自在に案内するガイド手段とトレイ移動手段とが必要であり、取付装置の構造が複雑となっている。更に、携帯機器には電源を供給する電源配線と、携帯機器の入出力を他の装置に接続する音響配線とが設けられているが、取付装置内のトレイ上に携帯機器に接続するためのコネクタが固定されてなく、これらの電源配線及び音響配線は携帯機器に差し込まなければならないので、携帯機器をトレイ上に保持する保持機構が別途必要となり取付装置が高価となってしまうと共に、配線差込動作を手動操作により行わなければならないので使用勝手が良くないなどの問題が生じている。
【０００８】
一方、特許文献２に開示されたクレードルを備える車載装置では、ここでの図示を省略するが、装置本体をクレードルに対してロックしたりロック解除するロック及びロック解除機構が取り付けられ、且つ、装置本体に取り付けた第１のコネクタをトレイ体上に取り付けた第２のコネクタに電気的に接続できるので、クレードル内のトレイ体上に携帯型電子機器を保持する保持機構が必要ないものの、ここでもトレイ体をクレードルの前後方向に直線的に案内する左右一対のレール部材と、トレイ体を装着空間部に対して出し入れさせる駆動機構とが必要であり、車載装置の構造が複雑で高価になってしまう。
【０００９】
そこで、携帯型電子機器を載置する載置部を有し、載置部が筐体の前方に突出した挿脱位置と、載置部が筐体内に収納される収納位置との間を往復動する機器収納用トレイを、簡単な移動機構により往復動させることができる携帯型電子機器収納装置が望まれている。
【課題を解決するための手段】
【００１０】
本発明は上記課題に鑑みてなされたものであり、第１の発明は、筐体と、
前記筐体内における前面側の一端近傍に立設した軸と、
前記軸に軸支され、携帯型電子機器を載置する載置部を有し、前記載置部が前記筐体の前方に突出した挿脱位置と、前記載置部が前記筐体内に収納される収納位置との間を前記軸を中心にして回動する機器収納用トレイと、
前記携帯型電子機器に取り付けられた機器側のコネクタと電気的に接続するために前記機器収納用トレイ上に設けられた装置側のコネクタと、
前記機器収納用トレイを前記収納位置においてロック及びロック解除するトレイロック手段及びロック解除手段と、
前記筐体及び前記機器収納用トレイに一端側及び他端側がそれぞれ掛止され、且つ、前記機器収納用トレイが前記収納位置でロック解除されたときに、この機器収納用トレイを前記挿脱位置側に付勢するバネと、
を備えたことを特徴とする携帯型電子機器収納装置である。
【００１１】
また、第２の発明は、上記した第１の発明の携帯型電子機器収納装置において、
前記収納位置で前記載置部の長手方向が、この携帯型電子機器の収納装置の左右方向となることを特徴とする携帯型電子機器収納装置である。
【００１２】
また、第３の発明は、筐体と、
前記筐体内における前面側の一端近傍に立設した第１の軸と、
前記第１の軸に軸支され、前記筐体の前方に突出した挿脱位置と、前記筐体内に収納される収納位置との間を前記第１の軸を中心にして回動するベーストレイと、
前記ベーストレイ上に設けられた第２の軸に回動自在に軸支され、携帯型電子機器を載置する載置部を有し、前記筐体に形成したガイド手段に案内されて前記載置部が前記筐体外に露出する挿脱位置と、前記載置部が前記筐体内に収納される収納位置との間を前記ベーストレイの回動に協働して前記筐体の前後方向に移動する機器収納用トレイと、
前記携帯型電子機器に取り付けられた機器側のコネクタと電気的に接続するために前記機器収納用トレイ上に設けられた装置側のコネクタと、
前記ベーストレイと一体に前記機器収納用トレイを前記収納位置においてロック及びロック解除するトレイロック手段及びロック解除手段と、
前記筐体及び前記ベーストレイに一端側及び他端側がそれぞれ掛止され、且つ、前記ベーストレイと一体に前記機器収納用トレイが前記収納位置でロック解除されたときに、前記ベーストレイと一体に前記機器収納用トレイを前記挿脱位置側に付勢するバネと、
を備えたことを特徴とする携帯型電子機器収納装置である。
【００１３】
また、第４の発明は、上記した第３の発明の携帯型電子機器収納装置において、
前記収納位置で前記載置部の長手方向が、この携帯型電子機器の収納装置の前後方向となることを特徴とする携帯型電子機器収納装置である。
【００１４】
更に、第５の発明は、上記した第１又は第３の発明の携帯型電子機器収納装置において、
前記トレイロック手段は、前記収納位置で前記機器収納用トレイが前記収納位置に至ったことを検出できるラッチ式プッシュスイッチであることを特徴とする携帯型電子機器収納装置である。
【発明の効果】
【００１５】
上記した第１の発明の携帯型電子機器収納装置によると、携帯型電子機器を載置する載置部を有し、載置部が筐体の前方に突出した挿脱位置と、載置部が筐体内に収納される収納位置との間を往復動する機器収納用トレイを、筐体内で前面側の一端近傍に立設した軸を中心にして挿脱位置と収納位置との間を手動操作により回動可能に構成したために、機器収納用トレイの移動をガイドするガイド手段をとくに設ける必要がなく、機器収納用トレイの移動機構が簡素化できるので、携帯型電子機器収納装置は低コスト化を図ることができる。
【００１６】
また、上記した第２の発明の携帯型電子機器収納装置によると、収納位置で機器収納用トレイの載置部の長手方向が、この携帯型電子機器の収納装置の左右方向となるために、上記した第１の発明の効果が得られる他に、携帯型電子機器収納装置の奥行き寸法を短く設定することができる。
【００１７】
また、上記した第３の発明の携帯型電子機器収納装置によると、筐体内で前面側の一端近傍に立設した第１の軸を中心にして挿脱位置と収納位置との間を回動するベーストレイ上に設けられた第２の軸に、携帯型電子機器を載置する載置部を有した機器収納用トレイを回動自在に軸支し、内装筐体に形成したガイド手段に案内させて載置部が筐体外に露出する挿脱位置と、載置部が筐体内に収納される収納位置との間を手動操作によりベーストレイの回動に協働して内装筐体の前後方向に移動させるように構成したために、ベーストレイの移動をガイドするガイド手段をとくに設ける必要がなく、ベーストレイの移動機構が簡素化できるので、携帯型電子機器収納装置は低コスト化を図ることができると共に、機器収納用トレイがベーストレイの回動に協働して筐体の前後方向に移動しているので、携帯型電子機器の機器収納用トレイへの挿脱を容易に行うことができる。
【００１８】
また、上記した第４の発明の携帯型電子機器収納装置によると、収納位置で機器収納用トレイの載置部の長手方向が、この携帯型電子機器の収納装置の前後方向となるために、上記した第３の発明の効果が得られる他に、ベーストレイ上の機器収納用トレイが筐体の前面に対して略直角に移動できる。
【００１９】
更に、上記した第５の発明の携帯型電子機器収納装置によると、トレイロック手段は、収納位置で機器収納用トレイが収納位置に至ったことを検出できるラッチ式プッシュスイッチであるので、新たに別のスイッチを設ける必要がない。
【発明を実施するための最良の形態】
【００２０】
以下に本発明に係る携帯型電子機器収納装置の一実施例について図１〜図９を参照して、実施例１，実施例２の順に詳細に説明する。
【実施例１】
【００２１】
図１は本発明に係る実施例１の携帯型電子機器収納装置の全体外観を示した斜視図、
図２は本発明に係る実施例１の携帯型電子機器収納装置において、内装筐体の前面側の一端近傍に立設した軸を中心にしてトレイを内装筐体の前方に突出した挿脱位置に回動させた状態を示した斜視図、
図３は本発明に係る実施例１の携帯型電子機器収納装置において、携帯型電子機器を搭載した機器収納用トレイが内装筐体内の収納位置に至った状態を示した斜視図である。
【００２２】
図１に示した如く、本発明に係る実施例１の携帯型電子機器収納装置１０では、メモリに格納した音楽データや映像データを再生する携帯型音楽プレーヤとか、光ディスクに記録した音楽データや映像データなどを再生する光ディスクドライブなどの携帯型電子機器１が、略箱状に形成した筐体１１に対して挿脱可能になっており、例えば自動車などの車載用として構成されている。
【００２３】
この際、携帯型電子機器１は、図２に示したように、筐体１１（図１）内に挿入する挿入方向前面１ａ側に機器側のコネクタ２が取り付けられており、後面１ｂ側が手で把持する側となっている。
【００２４】
尚、以下の説明では、携帯型電子機器１の一例として携帯型音楽プレーヤを適用した場合を図示しているが、携帯型音楽プレーヤに限定されるものではなく、携帯型電子機器１であればいかなるものでも良いものである。
【００２５】
この実施例１の携帯型電子機器収納装置１０では、図１に示したように、この装置の外装を構成する筐体１１が、高さ５０ｍｍ×幅１７８ｍｍの１ＤＩＮ（ＤＥＵＴＳＩＮＤＵＳＴＲＩＥ  ＮＯＲＭＥＮ）規格に準拠して箱状に形成されて自動車内に設置される外装筐体１２と、この外装筐体１２より一回り小形に箱状に形成されて外装筐体１２内に取り付けられる内装筐体１３とで２重に構成されている。
【００２６】
尚、実施例１では、上記したように、筐体１１は外装筐体１２と内装筐体１３とで２重に構成されているが、これに限ることなく、１ＤＩＮ規格に準拠した単一の筐体であっても良い。
【００２７】
ここで、図１に示した如く、上記した外装筐体１２は、底板１２ａと、左右の側板１２ｂ，１２ｃと、後面板１２ｄと、天板１２ｅとが板金材を用いて一体的に箱状に形成されており、且つ、前面板が設けられてなく前面１２ｆが矩形状に開口されている。
【００２８】
また、図２に示した如く、上記した内装筐体１３も、底板１３ａと、左右の側板１３ｂ，１３ｃと、後面板１３ｄと、天板１３ｅとが板金材を用いて一体的に箱状に形成されており、且つ、前面板が設けられてなく前面１３ｆが矩形状に開口されている。
【００２９】
また、内装筐体１３の左右の側板１３ｂ，１３ｃの前方部位に突出片１３ｂ１，１３ｃ１が側板１３ｂ，１３ｃに対して略直角に外側に向かって形成され、且つ、後面板１３ｄの中央部位にも突出片１３ｄ１が後面板１３ｄに対して略直角に外側に向かって形成されており、これらの突出片１３ｂ１，１３ｃ１，１３ｄ１は内装筐体１３を外装筐体１２内に取り付けるための取り付け孔を有している。
【００３０】
また、内装筐体１３の天板１３ｅの右後方部位に角孔１３ｅ１が穿設されており、この角孔１３ｅ１内には底板１３ａ上にブラケット１４を介して取り付けたラッチ式プッシュスイッチ１５が臨んでいる。
【００３１】
この際、後述するように、ラッチ式プッシュスイッチ１５には、内装筐体１３内に回動可能に設けた機器収納用トレイ１８を内装筐体１３内から外部の方向に押し出すための圧縮バネ（図示せず）が内蔵されていると共に、このラッチ式プッシュスイッチ１５は手動操作により機器収納用トレイ１８を内装筐体１３内の収納位置にロックしたり、収納位置でのロックを解除するためのトレイロック手段及びロック解除手段として機能している共に、機器収納用トレイ１８が内装筐体１３内の収納位置にロックされたことを検出するスイッチ機能を兼ねている。
【００３２】
また、内装筐体１３のうちで矩形状に開口した前面１３ｆ側の一端近傍（図２においては左端近傍）に軸１６が底板１３ａと天板１３ｅとに両端を支持されて立設され、且つ、この軸１６にネジリバネ１７が嵌め込まれている。
【００３３】
また、上記した軸１６には機器収納用トレイ１８が回動可能に軸支されており、この機器収納用トレイ１８は携帯型電子機器１を挿脱するために内装筐体１３の前方に突出した挿脱位置と、この挿脱位置で挿入された携帯型電子機器１を内装筐体１３内に収納する収納位置との間を軸１６を中心にして図２に示した矢印ＤＲ１方向に回動可能になっている。
【００３４】
この際、軸１６に嵌め込んだネジリバネ１７は、この一端側が内装筐体１３の底板１３ａに掛止され且つ他端側が機器収納用トレイ１８に掛止されており、このネジリバネ１７は機器収納用トレイ１８を内装筐体１３の前方に突出させるように挿脱位置方向に付勢している。
【００３５】
また、上記した機器収納用トレイ１８は、携帯型電子機器１を載置するための載置部となる底板１８ａと、前面板１８ｂと、左側板１８ｃと、後側板１８ｄとが樹脂材を用いて一体的に箱状に形成されており、且つ、右側板が設けられてなく右側面１８ｅが開口されて挿脱位置に至ったときに前方を向いて携帯型電子機器１の挿脱口となっていると共に、天板も設けられてなく上方部位が開口されている。
【００３６】
この際、機器収納用トレイ１８の前面板１８ｂ及び後側板１８ｄは、携帯型電子機器１の長手方向と対応して長尺に形成されており、機器収納用トレイ１８が内装筐体１３内の収納位置に至ったときに図１及び図３に示したように前面板１８ｂで内装筐体１３の前面１３ｆを閉蓋するようになっている。
【００３７】
図２に戻り、機器収納用トレイ１８の左側板１８ｃの中央部位に切り欠き１８ｃ１が形成され、この切り欠き１８ｃ内に装置側のコネクタ１９がフレキシブルワイヤ２０に接続された状態で取り付けられており、この装置側のコネクタ１９は携帯型電子機器１の挿入動作に伴ってこの携帯型電子機器１の挿入方向前面１ａ側に取り付けた機器側のコネクタ２と電気的に接続されるようになっている。
【００３８】
更に、機器収納用トレイ１８の後側板１８ｄの一端側にロックレバー１８ｄ１が外側に向かって一体的に突出形成されており、このロックレバー１８ｄは前記したラッチ式プッシュスイッチ１５に接離自在になっている。
【００３９】
次に、上記のように構成した実施例１の携帯型電子機器収納装置１０の動作について図１〜図３を併用して簡略に説明する。
【００４０】
まず、図１に示したように、筐体１１を構成する外装筐体１２内に内装筐体１３を取り付けた状態で、外装筐体１２の前面１２ｆは開口され、一方、内装筐体１３内の収納位置で機器収納用トレイ１８がラッチ式プッシュスイッチ１５（図２）によりロックされて収納されおり、このときに機器収納用トレイ１８の前面板１８ｂで内装筐体１３の前面１３ｆが閉蓋されている。
【００４１】
ここで、機器収納用トレイ１８の前面板１８ｂの右方に表示された「ＰＵＳＨ」部位近傍を使用者が例えば右手の手動操作により押すと、図２に示したように、機器収納用トレイ１８の後面板１８ｄに突出形成したロックレバー１８ｄ１がラッチ式プッシュスイッチ１５からロック解除されて、このラッチ式プッシュスイッチ１５内の圧縮バネ（図示せず）で機器収納用トレイ１８が内装筐体１３の前面１３ｆ側に押し出され、その後は、内装筐体１３の前面１３ｆ側の左端近傍に立設した軸１６に嵌め込んだネジリバネ１７の付勢力により機器収納用トレイ１８が内装筐体１３の前面１３ｆ側に更に押し出されながら内装筐体１３の前面１３ｆに対して略直角な位置まで軸１６を中心に回動して図２に示した挿脱位置に至り、この挿脱位置では機器収納用トレイ１８の載置部となる底板１８ａが内装筐体１３外に露出する。
【００４２】
そして、挿脱位置で機器収納用トレイ１８のうちで開口した右側面１８ｅが前方を向き、使用者がこの右側面１８ｅから携帯型電子機器１を内装筐体１３の後方側に向けて挿入すると、この携帯型電子機器１の挿入方向前面１ａ側に取り付けた機器側のコネクタ２が機器収納用トレイ１８の後方に取り付けた装置側のコネクタ１９に接続される。その後、機器収納用トレイ１８の前側板１８ｂ側を内装筐体１３の後面板１３ｄに向かって手動操作により押すと、機器収納用トレイ１８がラッチ式プッシュスイッチ１５により再びロックされて図３に示した収納位置に至る。
【００４３】
この際、携帯型電子機器１の長手方向が機器収納用トレイ１８の前面板１８ｂ及び後面板１８ｄの長手方向と対応しているので、内装筐体１３内の収納位置では携帯型電子機器１の長手方向が、この携帯型電子機器１の挿脱方向に対して直交するように内装筐体１３内に収納されることになり、且つ、携帯型電子機器１の短手方向が内装筐体１３の奥行き方向に対応することになるために、実施例１の携帯型電子機器収納装置１０の奥行き寸法を短く設定することができる。これを言い換えると、内装筐体１３内の収納位置では機器収納用トレイ１８の載置部となる底板１８ａの長手方向が、この携帯型電子機器１の収納装置の左右方向となっている。
【００４４】
尚、この実施例１では、機器収納用トレイ１８の回動中心となる軸１６を内装筐体１３の前面１３ｆ側の左端近傍に立設した例について説明したが、これに限ることなく、軸１６を内装筐体１３の前面１３ｆ側の右端近傍に立設した場合には例えば使用者の左手の手動操作により機器収納用トレイ１８の前面板１８ｂの左方を押すことが容易になる。
【００４５】
上述したように、実施例１の携帯型電子機器収納装置１０によると、携帯型電子機器１を載置する載置部（底板１８ａ）を有し、載置部が筐体１１の一部を構成する内装筐体１３の前方に突出した挿脱位置と、載置部が内装筐体１３内に収納される収納位置との間を往復動する機器収納用トレイ１８を、内装筐体１３内で前面１３ｆ側の一端近傍に立設した軸１６を中心にして挿脱位置と収納位置との間を手動操作により回動可能に構成したために、機器収納用トレイ１８の移動をガイドするガイド手段をとくに設ける必要がなく、機器収納用トレイ１８の移動機構が簡素化できるので、実施例１の携帯型電子機器収納装置１０は低コスト化を図ることができる。
【００４６】
次に、本発明に係る実施例１の携帯型電子機器収納装置を一部変形させた変形例の携帯型電子機器収納装置について図４を用いて簡略に説明する。
【００４７】
図４は本発明に係る実施例１の携帯型電子機器収納装置を一部変形させた変形例の携帯型電子機器収納装置の全体外観を示した斜視図である。
【００４８】
図４に示した如く、実施例１を一部変形させた変形例の携帯型電子機器収納装置１０’でも、この装置の外装を構成する筐体１１が、高さ５０ｍｍ×幅１７８ｍｍの１ＤＩＮ（ＤＥＵＴＳＩＮＤＵＳＴＲＩＥ  ＮＯＲＭＥＮ）規格に準拠して箱状に形成されて自動車内に設置される外装筐体１２と、この外装筐体１２より一回り小形に箱状に形成されて外装筐体１２内に取り付けられる内装筐体１３とで２重に構成され、且つ、内装筐体１３の前面１３ｆ側の一端近傍に立設した軸１６を中心にして機器収納用トレイ１８が回動自在になっている点は実施例１と同じであるが、外装筐体１２の前面１２ｆ側にフロントパネル２１が取り付けられている点が実施例１に対して異なっている。
【００４９】
上記したフロントパネル２１には、トレイ出入用孔２１ａが貫通して大きく形成されており、このトレイ出入用孔２１ａ内に軸１６を中心にして回動する機器収納用トレイ１８が出入自在になっている。
【００５０】
従って、フロントパネル２１のトレイ出入用孔２１ａ内に臨んでいる機器収納用トレイ１８の前面板１８ｂの右方に表示された「ＰＵＳＨ」部位近傍を使用者が手動操作により押せば、実施例１と同様な操作を行うことができる。
【実施例２】
【００５１】
図５は本発明に係る実施例２の携帯型電子機器収納装置の全体外観を示した斜視図、
図６は本発明に係る実施例２の携帯型電子機器収納装置において、内装筐体の前面側の一端近傍に立設した軸を中心にしてベーストレイを内装筐体の前方に突出した挿脱位置に回動させ、且つ、ベーストレイの回動と協働して機器収納用トレイが挿脱位置に至った状態を内装筐体の天板側から見て示した斜視図、
図７は本発明に係る実施例２の携帯型電子機器収納装置において、内装筐体の前面側の一端近傍に立設した軸を中心にしてベーストレイを内装筐体の前方に突出した挿脱位置に回動させ、且つ、ベーストレイの回動と協働して機器収納用トレイが挿脱位置に至った状態を内装筐体の底板側から見て示した斜視図、
図８は本発明に係る実施例２の携帯型電子機器収納装置において、内装筐体内を一部断面して示した縦断面図、
図９は本発明に係る実施例２の携帯型電子機器収納装置の外装筐体を取り外し、且つ、内装筐体の天板を取り外した状態において、携帯型電子機器を搭載した機器収納用トレイがベーストレイと一体に内装筐体内の収納位置に至った状態を示した斜視図である。
【００５２】
図６に示した如く、本発明に係る実施例２の携帯型電子機器収納装置３０でも、実施例1と同様に、メモリに格納した音楽データや映像データを再生する携帯型音楽プレーヤとか、光ディスクに記録した音楽データや映像データなどを再生する光ディスクドライブなどの携帯型電子機器１が、略箱状に形成した筐体３１に対して挿脱可能になっており、例えば自動車などの車載用として構成されている。
【００５３】
この際、携帯型電子機器１は、図６に示したように、筐体３１（図５）内に挿入する挿入方向前面１ａ側に機器側のコネクタ２が取り付けられており、後面１ｂ側が手で把持する側となっている。
【００５４】
尚、以下の説明では、携帯型電子機器１の一例として携帯型音楽プレーヤを適用した場合を図示しているが、携帯型音楽プレーヤに限定されるものではなく、携帯型電子機器１であればいかなるものでも良いものである。
【００５５】
この実施例２の携帯型電子機器収納装置３０でも、実施例１と同様に、この装置の外装を構成する筐体３１が、高さ５０ｍｍ×幅１７８ｍｍの１ＤＩＮ規格に準拠して箱状に形成されて自動車内に設置される外装筐体３２と、この外装筐体３２より一回り小形に箱状に形成されて外装筐体３２内に取り付けられる内装筐体３３とで２重に構成されている。
【００５６】
尚、実施例２でも、上記したように、筐体３１は外装筐体３２と内装筐体３３とで２重に構成されているが、これに限ることなく、１ＤＩＮ規格に準拠した単一の筐体であっても良い。
【００５７】
ここで、図５に示した如く、上記した外装筐体３２は、底板３２ａと、左右の側板３２ｂ，３２ｃと、後面板３２ｄと、天板３２ｅとが板金材を用いて一体的に箱状に形成されており、且つ、前面３２ｆが矩形状に開口されてこの前面３２ｆにフロントパネル３４が取り付けられている。
【００５８】
この際、フロントパネル３４には、後述するベーストレイ３９及び機器収納用トレイ４０が出入するトレイ出入用孔３４ａが貫通して大きく形成されている。
【００５９】
また、図６に示した如く、上記した内装筐体３３も、底板３３ａと、左右の側板３３ｂ，３３ｃと、後面板３３ｄとが板金材を用いて一体的に箱状に形成されており、且つ、前面板が設けられてなく前面３３ｅが矩形状に開口されていると共に、箱状の上部に樹脂材を用いて形成した天板３５が取り付けられている。
【００６０】
この際、天板３５の左方部位と略中央部位とに円弧状ガイド溝３５ａ，３５ｂが前方から後方に向かって貫通して穿設されていると共に、天板３５の裏面に円弧状突出片３５ｃ（図８のみ図示）が前方から後方に向かって所定の高さで突出形成されている。
【００６１】
また、内装筐体３３の左右の側板３３ｂ，３３ｃの前方部位に突出片３３ｂ１，３３ｃ１が側板３３ｂ，３３ｃに対して略直角に外側に向かって形成され、且つ、後面板３３ｄの中央部位にも突出片３３ｄ１が後面板３３ｄに対して略直角に外側に向かって形成されており、これらの突出片３３ｂ１，３３ｃ１，３３ｄ１は内装筐体３３を外装筐体３２内に取り付けるための取り付け孔を有していると共に、天板３５を取り付けるためのネジ孔を有している。
【００６２】
また、内装筐体３３の後面板３３ｄ側の左方には冷却用ファン３６が取り付けられており、この冷却用ファン３６によって内装筐体３３内を冷却している。
【００６３】
また、内装筐体３３のうちで矩形状に開口した前面３３ｅ側の一端近傍（図６においては右端近傍）に第１の軸３７が底板３３ａと天板３５とに両端を支持されて立設され、且つ、この第１の軸３７にネジリバネ３８が嵌め込まれている。
【００６４】
また、上記した第１の軸３７には、ベーストレイ３９が内装筐体３３の前方に突出した挿脱位置と、内装筐体３３内に収納される収納位置との間を図６に示した矢印ＤＲ２方向に回動可能に軸支されている。
【００６５】
この際、第１の軸３７に嵌め込んだネジリバネ３８は、この一端側が内装筐体３３の底板３３ａに掛止され且つ他端側がベーストレイ３９に掛止されており、このネジリバネ３８はベーストレイ３９を内装筐体３３の前方に突出させるように挿脱位置方向に付勢している。
【００６６】
上記したベーストレイ３９は、図６及び図８に示した如く、樹脂材を用いて３段の段部３９ａ，３９ｂ，３９ｃが第１の軸３７を中心にして階段状に形成されており、且つ、各段部３９ａ，３９ｂ，３９ｃ上に円弧状突出片３９ａ１，３９ｂ１，３９ｃ１が第１の軸３７を中心にして前方から後方に向かって幅狭く低い高さで突出形成されている。この際、３段の段部３９ａ，３９ｂ，３９ｃのうちで、上段の段部３９ａは内装筐体３３の底板３３ａの上面に対して高さＨａで高く形成され、且つ、中段の段部３９ｂは内装筐体３３の底板３３ａの上面に対して高さＨｂで高さＨａより低く形成され、且つ、下段の段部３９ｃも内装筐体３３の底板３３ａの上面に対して高さＨｃで高さＨｂより低く形成されている。従って、ベーストレイ３９に形成した３段の段部３９ａ，３９ｂ，３９ｃによってベーストレイ３９の剛性が確保されている。
【００６７】
そして、図８に示した如く、ベーストレイ３９の上段の段部３９ａ上で上方に向かって突出形成した円弧状突出片３９ａ１は、ベーストレイ３９の回動に伴って天板３５の裏面に形成した円弧状突出片３５ｃに摺接することで、ベーストレイ３９の内装筺体３３の底板３３ａへの傾き（倒れ）を規制している。
【００６８】
また、ベーストレイ３９の中段の段部３９ｂ上及び下段の段部３９ｃ上には、携帯型電子機器１を収納するための機器収納用トレイ４０が下段の段部３９ｃ上に設けられた第２の軸４１に回動可能に軸支されている。
【００６９】
また、ベーストレイ３９の中段の段部３９ｂ上及び下段の段部３９ｃ上で上方に向かって突出形成した円弧状突出片３９ｂ１及び円弧状突出片３９ｃ１は、ベーストレイ３９の回動に伴ってこのベーストレイ３９の下段の段部３９ｃ上に第２の軸４１を介して軸支した機器収納用トレイ４０の底板４０ａの裏面における右側及び左側に摺接することで、機器収納用トレイ４０のベーストレイ３９の段部３９ｂ，３９ｃへの傾き（倒れ）を規制している。
【００７０】
尚、ベーストレイ３９の各段部３９ａ，３９ｂ，３９ｃ上に形成した円弧状突出片３９ａ１，３９ｂ１，３９ｃ１は、傾き（倒れ）規制用に設けたものであり、傾き（倒れ）が発生しない構造であれば設けなくてもよい。
【００７１】
また、図６及び図９に示したように、上記した機器収納用トレイ４０は、携帯型電子機器１を載置するための載置部となる底板４０ａと、左右の側板４０ｂ，４０ｃと、後側板４０ｄとが樹脂材を用いて一体的に箱状に形成されており、且つ、前面板が設けられてなく前面４０ｅが開口されていると共に、天板も設けられてなく上方部位が開口されている。
【００７２】
この際、機器収納用トレイ４０の左右の側板４０ｂ，４０ｃは、携帯型電子機器１の長手方向と対応して長尺に形成され、且つ、機器収納用トレイ４０の前面４０ｅ側が携帯型電子機器１の挿脱口となっている。
【００７３】
また、機器収納用トレイ４０の左右の側板４０ｂ，４０ｃの各後方部位上にガイドピン４２，４３が埋め込まれており、これらガイドピン４２，４３は内装筐体３３の天板３５に形成した円弧状ガイド溝３５ａ，３５ｂ内に進入している。
【００７４】
従って、ベーストレイ３９の回動に協働して、機器収納用トレイ４０の左右の側板４０ｂ，４０ｃ上に設けたガイドピン４２，４３が内装筐体３３の天板３５に形成した円弧状ガイド溝３５ａ，３５ｂに案内されながらこの機器収納用トレイ４０がベーストレイ３９上に設けられた第２の軸４１を中心にして回動するので、機器収納用トレイ４０が挿脱位置と収納位置との間を内装筐体３３の前後方向に移動するようになっている。
【００７５】
また、機器収納用トレイ４０の後面板４０ｄの右方部位に切り欠き４０ｄ１が形成され、この切り欠き４０ｄ１内に装置側のコネクタ４４（図９にのみ図示）がフレキシブルワイヤ４５に接続された状態で取り付けられており、この装置側のコネクタ４４は携帯型電子機器１の挿入動作に伴ってこの携帯型電子機器１の挿入方向前面１ａ側に取り付けた機器側のコネクタ２と電気的に接続されるようになっている。
【００７６】
また、機器収納用トレイ４０の後面板４０ｄに連接して後方に延出させた後面４０ｆにロックレバー４０ｆ１（図９にのみ図示）が後方に向かって一体的に形成されており、このロックレバー４０ｆ１は内装筺体３３の底板３３ａの後方部位にブラケット（図示せず）を介して取り付けたラッチ式プッシュスイッチ４６に接離自在に係合するようになっている。
【００７７】
この際、後述するように、ラッチ式プッシュスイッチ４６には、内装筐体３３内に回動可能に設けたベーストレイ３９上の機器収納用トレイ４０を内装筐体３３内から外部の方向に押し出すための圧縮バネ（図示せず）が内蔵されていると共に、このラッチ式プッシュスイッチ４６はベーストレイ３９と一体に機器収納用トレイ４０を内装筐体３３内の収納位置にロックしたり、収納位置でのロックを解除するためのトレイロック手段及びロック解除手段として機能している共に、ベーストレイ３９と一体に機器収納用トレイ４０が内装筐体３３内の収納位置にロックされたことを検出するスイッチ機能を兼ねている。
【００７８】
図６に戻り、機器収納用トレイ４０の底板４０ａの前方中央部位の左右に、携帯型電子機器１の挿脱方向に向かって２本のスリット４０ａ１，４０ａ２が形成されており、且つ、２本のスリット４０ａ１，４０ａ２間にストッパ兼用押圧片４０ａ３が底板４０ａから前方に僅かに突出して形成されている。
【００７９】
上記したストッパ兼用押圧片４０ａ３は、２本のスリット４０ａ１，４０ａ２により上下方向に弾性変位可能になっており、機器収納用トレイ４０内に携帯型電子機器１を収納したときにストッパ兼用押圧片４０ａ３が携帯型電子機器１の後面１ｂに当接することで前方への飛び出しを規制され、且つ、ストッパ兼用押圧片４０ａ３を下方に押し下げることで機器収納用トレイ４０内から携帯型電子機器１を容易に取り出すことができるようになっている。
【００８０】
更に、機器収納用トレイ４０の前面４０ｅ側に形成したストッパ兼用押圧片４０ａ３は、外装筐体３２の前面３２ｆに取り付けたフロントパネル３４に形成したトレイ出入用孔３４ａ内に臨んでおり、このストッパ兼用押圧片４０ａ３を手動操作により内装筐体３３の後面板３３ｄ側に向かって押圧することで、機器収納用トレイ４０と一体にベーストレイ３９をラッチ式プッシュスイッチ４６を介して内装筐体３３内にロックしたり、ロック解除するようになっている。
【００８１】
次に、上記のように構成した実施例２の携帯型電子機器収納装置３０の動作について図５〜図９を併用して簡略に説明する。
【００８２】
まず、図５に示したように、筐体３１を構成する外装筐体３２内に内装筐体３３を取り付けた状態で、内装筐体３３の前面３３ｅ側の右端近傍に立設した第１の軸３７を中心にして回動するベーストレイ３９上に第２の軸４１を介して軸支した機器収納用トレイ４０が内装筐体３３内でラッチ式プッシュスイッチ４６（図９）によりロックされて収納されおり、このときに外装筐体３２の前面３２ｆに取り付けたフロントパル３４のトレイ出入用孔３４ａ内に機器収納用トレイ４０の前方に設けたストッパ兼用押圧片４０ａ３が臨んでいる。
【００８３】
ここで、機器収納用トレイ４０の前方に設けたストッパ兼用押圧片４０ａ３を使用者が例えば左手の手動操作により押すと、図６に示したように、機器収納用トレイ４０の後面４０ｆに突出形成したロックレバー４０ｆ１がラッチ式プッシュスイッチ４６からロック解除されて、このラッチ式プッシュスイッチ４６内の圧縮バネ（図示せず）で機器収納用トレイ４０と一体にベーストレイ３９が内装筐体３３の前面３３ｅ側に押し出され、その後は、内装筐体３３の前面３３ｅ側に立設した第１の軸３７に嵌め込んだネジリバネ３８の付勢力によりベーストレイ３９と一体に機器収納用トレイ４０が内装筐体３３の前面３３ｅ側に更に押し出されながら内装筐体３３の前面３３ｅに対して略直角な位置まで第１の軸３７を中心に回動して図６に示した挿脱位置に至る。この挿脱位置では機器収納用トレイ４０の載置部となる底板４０ａが内装筐体３３外に露出する。
【００８４】
この際、ベーストレイ３９の回動に協働して、機器収納用トレイ４０の左右の側板４０ｂ，４０ｃ上に設けたガイドピン４２，４３が内装筐体３３の天板３５に形成した円弧状ガイド溝３５ａ，３５ｂに案内されながらこの機器収納用トレイ４０がベーストレイ３９上に設けられた第２の軸４１を中心にして回動して前方に移動して挿脱位置に至る。
【００８５】
そして、挿脱位置で機器収納用トレイ４０のうちで開口した前面４０ｅが前方を向き、使用者がこの前面４０ｅから携帯型電子機器１を内装筐体３３の後方側に向けて挿入すると、この携帯型電子機器１の挿入方向前面１ａ側に取り付けた機器側のコネクタ２が機器収納用トレイ４０の後方に取り付けた装置側のコネクタ４４に接続される。その後、機器収納用トレイ４０の前方に形成したストッパ兼用押圧片４０ａ３を内装筐体３３の後面板３３ｄに向かって手動操作により押すと、ベーストレイ３９と一体に機器収納用トレイ４０がラッチ式プッシュスイッチ４６により再びロックされて図９に示した収納位置に至る。
【００８６】
この際、携帯型電子機器１の長手方向が、この機器収納用トレイ４０の左右の側板４０ｂ，４０ｃの長手方向と等価な奥行き方向に対応しているので、内装筐体３３内の収納位置では携帯型電子機器１の長手方向が携帯型電子機器１の挿脱方向に対して同方向となるように内装筐体３３内に収納されることにより、ベーストレイ３９上の機器収納用トレイ４０が内装筐体３３の前面３３ｅに対して略直角に移動できる。これを言い換えると、内装筐体３３内の収納位置では機器収納用トレイ４０の載置部となる底板４０ａの長手方向が、この携帯型電子機器１の収納装置の前後方向となっている。
【００８７】
尚、この実施例２では、ベーストレイ３９の回動中心となる第１の軸３７を内装筐体３３の前面３３ｅ側の右端近傍に立設した例について説明したが、これに限ることなく、第１の軸３７を内装筐体３３の前面３３側の左端近傍に立設した場合には例えば使用者の右手の手動操作により機器収納用トレイ４０の前方に形成したストッパ兼用押圧片４０ａ３を押すことが容易になる。
【００８８】
上述したように、実施例２の携帯型電子機器収納装置３０によると、筐体３１の一部を構成する内装筐体３３内で前面３３ｅ側の一端近傍に立設した第１の軸３７を中心にして挿脱位置と収納位置との間を回動するベーストレイ３９上に設けられた第２の軸４１に、携帯型電子機器１を載置する載置部（底板４０ａ）を有した機器収納用トレイ４０を回動自在に軸支し、内装筐体３３の天板３５に形成したガイド手段３５ａ，３５ｂに案内させて載置部が内装筐体３３外に露出する挿脱位置と、載置部が内装筐体３３内に収納される収納位置との間を手動操作によりベーストレイ３９の回動に協働して内装筐体３３の前後方向に移動させるように構成したために、ベーストレイ３９の移動をガイドするガイド手段をとくに設ける必要がなく、ベーストレイ３９の移動機構が簡素化できるので、実施例２の携帯型電子機器収納装置３０は低コスト化を図ることができると共に、機器収納用トレイ４０がベーストレイ３９の回動に協働して内装筐体３３の前後方向に移動しているので、携帯型電子機器１の機器収納用トレイ４０への挿脱を容易に行うことができる。
【図面の簡単な説明】
【００８９】
【図１】本発明に係る実施例１の携帯型電子機器収納装置の全体外観を示した斜視図である。
【図２】本発明に係る実施例１の携帯型電子機器収納装置において、内装筐体の前面側の一端近傍に立設した軸を中心にしてトレイを内装筐体の前方に突出した挿脱位置に回動させた状態を示した斜視図である。
【図３】本発明に係る実施例１の携帯型電子機器収納装置において、携帯型電子機器を搭載した機器収納用トレイが内装筐体内の収納位置に至った状態を示した斜視図である。
【図４】本発明に係る実施例１の携帯型電子機器収納装置を一部変形させた変形例の携帯型電子機器収納装置の全体外観を示した斜視図である。
【図５】本発明に係る実施例２の携帯型電子機器収納装置の全体外観を示した斜視図である。
【図６】本発明に係る実施例２の携帯型電子機器収納装置において、内装筐体の前面側の一端近傍に立設した軸を中心にしてベーストレイを内装筐体の前方に突出した挿脱位置に回動させ、且つ、ベーストレイの回動と協働して機器収納用トレイが挿脱位置に至った状態を内装筐体の天板側から見て示した斜視図である。
【図７】本発明に係る実施例２の携帯型電子機器収納装置において、内装筐体の前面側の一端近傍に立設した軸を中心にしてベーストレイを内装筐体の前方に突出した挿脱位置に回動させ、且つ、ベーストレイの回動と協働して機器収納用トレイが挿脱位置に至った状態を内装筐体の底板側から見て示した斜視図である。
【図８】本発明に係る実施例２の携帯型電子機器収納装置において、内装筐体内を一部断面して示した縦断面図である。
【図９】本発明に係る実施例２の携帯型電子機器収納装置の外装筐体を取り外し、且つ、内装筐体の天板を取り外した状態において、携帯型電子機器を搭載した機器収納用トレイがベーストレイと一体に内装筐体内の収納位置に至った状態を示した斜視図である。
【符号の説明】
【００９０】
１  携帯型電子機器収納装置、１ａ  挿入方向前面、１ｂ  後面、
２  機器側のコネクタ、
１０  実施例１の携帯型電子機器収納装置、
１０’  実施例１を一部変形させた変形例の携帯型電子機器収納装置、
１１  筺体、
１２  外装筐体、１２ａ  底板、１２ｂ，１２ｃ  左右の側板、１２ｄ  後面板、
１２ｅ  天板、１２ｆ  前面、
１３  内装筐体、１３ａ  底板、１３ｂ，１３ｃ  左右の側板、
１３ｂ１，１３ｃ１  突出片、１３ｄ  後面板、１３ｄ１  突出片、
１３ｅ  天板、１３ｅ１  角孔、１３ｆ  前面、１４  ブラケット、
１５  トレイロック手段及びロック解除手段（ラッチ式プッシュスイッチ）、
１６  軸、１７  ネジリバネ、
１８  機器収納用トレイ、１８ａ  底板、１８ｂ  前面板、
１８ｃ  左側板、１８ｃ１  切り欠き、
１８ｄ  後面板、１８ｄ１  ロックレバー、１８ｅ  右側面、
１９  装置側のコネクタ、２０  フレキシブルワイヤ、
２１  フロントパネル、２１ａ  トレイ出入用孔、
３０  実施例２の携帯型電子機器収納装置、
３１  筺体、
３２  外装筐体、３２ａ  底板、３２ｂ，３２ｃ  左右の側板、３２ｄ  後面板、
３２ｅ  天板、３２ｆ  前面、
３３  内装筐体、３３ａ  底板、３３ｂ，３３ｃ  左右の側板、
３３ｂ１，３３ｃ１  突出片、３３ｄ  後面板、３３ｄ１  突出片、３３ｅ  前面、
３４  フロントパネル、３４ａ  トレイ出入用孔、
３５  天板、３５ａ，３５ｂ  円弧状ガイド溝、３６  冷却用ファン、
３７  第１の軸、３８  ネジリバネ、
３９  ベーストレイ、３９ａ〜３９ｃ  段部、３９ａ１〜３９ｃ１  円弧状突出片、
４０  機器収納用トレイ、
４０ａ  底板、４０ａ１，４０ａ２  スリット、４０ａ３  ストッパ兼用押圧片、
４０ｂ，４０ｃ  左右の側板、４０ｄ  後面板、４０ｄ１    切り欠き、４０ｅ  前面、
４０ｆ  後面、４０ｆ１  ロックレバー、
４１  第２の軸、４２，４３  ガイドピン、
４４  装置側のコネクタ、４５  フレキシブルワイヤ、
４６  トレイロック手段及びロック解除手段（ラッチ式プッシュスイッチ）。
【図１】
2009179097.tif 000003
【図２】
2009179097.tif 000004
【図３】
2009179097.tif 000005
【図４】
2009179097.tif 000006
【図５】
2009179097.tif 000007
【図６】
2009179097.tif 000008
【図７】
2009179097.tif 000009
【図８】
2009179097.tif 000010
【図９】
2009179097.tif 000011